(57)【要約】【課題】本発明は、所定の機器を制御するコントローラと、電力取入口（例えばＡＣ電源のコンセントなど）から受け取った電力を上記の機器およびコントローラに供給する電源装置とを備えた電力供給システム等に関し、省電力化を図る。【解決手段】コントローラ２０に電力供給する第１の電源回路３０５と、オン操作により電力取入口と第１の電源回路とを繋ぐ第１の電力供給路を生成するとともにオフ操作により第１の電力供給路を遮断するメインスイッチ３０４と、コントローラによるオン、オフ制御を受け、オン制御により、メインスイッチをバイパスして電力取入口と第１の電源回路とを繋ぐ第２の電力供給路を生成するとともに、オフ制御により、第２の電力供給路を遮断する第１のスイッチ回路３０６と、コントローラによるオン、オフ制御を受け、オン制御により、上記機器用の電力を生成してその機器に供給する第２の電源回路３０８とを備えた。【選択図】        図１
2006094627.tif 000002
【特許請求の範囲】
【請求項１】
所定の機器を制御するコントローラと、電力取入口から受け取った電力を前記機器および前記コントローラに供給する電源装置とを備えた電力供給システムにおいて、
前記電源装置が、
前記コントローラ用の電力を生成して該コントローラに供給する第１の電源回路と、
電力投入、切断用にオン、オフ操作され、オン操作により前記電力取入口と前記第１の電源回路とを繋ぐ第１の電力供給路を生成するとともにオフ操作により該第１の電力供給路を遮断するメインスイッチと、
前記コントローラによるオン、オフ制御を受け、オン制御により、前記メインスイッチをバイパスして前記電力取入口と前記第１の電源回路とを繋ぐ第２の電力供給路を生成するとともに、オフ制御により、該第２の電力供給路を遮断する第１のスイッチ回路と、
前記コントローラによるオン、オフ制御を受け、オン制御により、前記機器用の電力を生成して該機器に供給する第２の電源回路とを備えたことを特徴とする電力供給システム。
【請求項２】
前記コントローラは、前記第１の電源回路から供給された電力を受け取った直後の初期状態においては、前記第１のスイッチ回路をオン制御するハードウェア状態にあることを特徴とする請求項１記載の電力供給システム。
【請求項３】
前記第１のスイッチ回路は、前記第１の電源回路が前記コントローラに供給する電力の電圧と同一の電圧の信号をオン制御の信号として動作するものであることを特徴とする請求項１記載の電力供給システム。
【請求項４】
前記電力取入口と前記第２の電源回路との間に配備され、前記コントローラからオン、オフ制御を受け、オン制御により該電力取入口と前記第２の電源回路との間を繋ぐ第３の電力供給路を生成するとともにオフ制御により該第３の電力供給路を遮断する第２のスイッチ回路を備えたことを特徴とする請求項１記載の電力供給システム。
【請求項５】
前記機器が、原稿画像を読み取って画像信号を得、該画像信号に基づいて該原稿画像を複製したコピー画像を用紙上に記録する複写機であって、前記コントローラが、ネットワークを監視して該ネットワークを経由して送信されてきた画像信号を前記複写機に受け渡すコントローラであることを特徴とする請求項１記載の電力供給システム。
【請求項６】
電力取入口から受け取った電力を所定の機器および該機器を制御するコントローラに供給する電源装置において、
前記コントローラ用の電力を生成して該コントローラに供給する第１の電源回路と、
電力投入、切断用にオン、オフ操作され、オン操作により前記電力取入口と前記第１の電源回路とを繋ぐ第１の電力供給路を生成するとともにオフ操作により該第１の電力供給路を遮断するメインスイッチと、
前記コントローラによるオン、オフ制御を受け、オン制御により、前記メインスイッチをバイパスして前記電力取入口と前記第１の電源回路とを繋ぐ第２の電力供給路を生成するとともに、オフ制御により、該第２の電力供給路を遮断する第１のスイッチ回路と、
前記コントローラによるオン、オフ制御を受け、オン制御により、前記機器用の電力を生成して該機器に供給する第２の電源回路とを備えたことを特徴とする電源装置。
【請求項７】
前記第１のスイッチ回路は、前記第１の電源回路が前記コントローラに供給する電力の電圧と同一の電圧の信号をオン制御の信号として動作するものであることを特徴とする請求項６記載の電源装置。
【請求項８】
前記電力取入口と前記第２の電源回路との間に配備され、前記コントローラからオン、オフ制御を受け、オン制御により該電力取入口と前記第２の電源回路との間を繋ぐ第３の電力供給路を生成するとともにオフ制御により該第３の電力供給路を遮断する第２のスイッチ回路を備えたことを特徴とする請求項６記載の電源装置。
【請求項９】
前記メインスイッチからのオフ信号を受けて所定時間経過しても前記コントローラがオフ制御しない場合、前記第１のスイッチ回路および前記第２の電源回路はハードウエアにより時間差で前記第２の電力供給路を遮断し、前記第２の電源回路の出力を停止するものであることを特徴とする請求項６記載の電源装置。
【発明の詳細な説明】
【技術分野】
【０００１】
本発明は、所定の機器を制御するコントローラと、電力取入口（例えばＡＣ電源のコンセントなど）から受け取った電力を上記の機器およびコントローラに供給する電源装置とを備えた電力供給システム、および、電力取入口から受け取った電力を所定の機器およびその機器を制御するコントローラに供給する電源装置に関する。
【背景技術】
【０００２】
原稿画像を読み取って画像信号を得、その画像信号に基づいてその原稿画像を複製したコピー画像を用紙上に記録する複写機が広く普及している。その複写機の中には、ネットワークに接続されてそのネットワークを経由して送信されてきた画像信号に基づく画像を記録して出力する（以下、この機能を「プリンタ機能」と称する）を兼ね備えた複写機も登場してきている。
【０００３】
従来、このようなプリンタ機能を実現するには、そのようなプリンタ機能を持たない複写機を基本にして、その複写機に、ネットワークを介して通信を行なうコントローラを接続するとともに、さらに、節電のために複写機自体の電源は常時はオフにしておきそのコントローラがその複写機で画像を記録すべき画像信号を受信したときにその複写機の電源を立ち上げるための２４時間常時通電の電源設備を接続して複写機の電源のオン、オフ制御が行なわれている。
【発明の開示】
【発明が解決しようとする課題】
【０００４】
上記の従来の構成の場合、コントローラはネットワークの監視機能について常時稼動させておく必要はあるものの、複写機自体の電源は常時オフになっているためかなりの省電力化が実現されている。しかしながら、従来の構成の場合、さらに２４時間通電の電源設備を必要とし、これが電力を常時無駄に消費し、全体としての省電力化がいま一歩進まないという問題がある。
【０００５】
上記の問題は、プリンタ機能付き複写機に限らず、機器を制御するコントローラと、それらの機器やコントローラに電力を供給する電源装置とを備えた電力供給システムにおいて共通する問題である。
【０００６】
本発明は、上記事情に鑑み、更なる省電力化が図られた電力供給システムおよび電源装置を提供することを目的とする。
【課題を解決するための手段】
【０００７】
上記目的を達成する本発明の電力供給システムは、所定の機器を制御するコントローラと、電力取入口から受け取った電力を上記機器および上記コントローラに供給する電源装置とを備えた電力供給システムにおいて、
上記電源装置が、
コントローラ用の電力を生成してコントローラに供給する第１の電源回路と、
電力投入、切断用にオン、オフ操作され、オン操作により電力取入口と第１の電源回路とを繋ぐ第１の電力供給路を生成するとともにオフ操作により第１の電力供給路を遮断するメインスイッチと、
コントローラによるオン、オフ制御を受け、オン制御により、メインスイッチをバイパスして電力取入口と第１の電源回路とを繋ぐ第２の電力供給路を生成するとともに、オフ制御により、第２の電力供給路を遮断する第１のスイッチ回路と、
コントローラによるオン、オフ制御を受け、オン制御により、上記機器用の電力を生成してその機器に供給する第２の電源回路とを備えたことを特徴とする。
【０００８】
本発明の電力供給システムは、メインスイッチの操作によって直接的にはコントローラのみに電力を供給し、コントローラの制御により機器に電力を供給するようにしたため、機器を稼動させておく必要がないときはコントローラにより機器への電力供給が遮断され必要なときにのみ機器への電力供給が行なわれる。したがって従来コントローラのほかに必要としていた２４時間常時通電の電源は不要となり、省電力化が推進される。
【０００９】
ここで、上記本発明の電力供給システムにおいて、上記コントローラは、上記第１の電源回路から供給された電力を受け取った直後の初期状態においては、上記第１のスイッチ回路をオン制御するハードウェア状態にあることが好ましい。
【００１０】
このように構成することにより、メインスイッチがオン操作されコントローラが各部の立ち上げ動作を行なってるときに直ぐにオフ操作されたときであってもその立ち上げ動作が中断されることが防止され、その立ち上げ動作の中断による不具合の発生が防止される。
【００１１】
また、上記本発明の電力供給システムにおいて、上記第１のスイッチ回路は、第１の電源回路がコントローラに供給する電力の電圧と同一の電圧の信号をオン制御の信号として動作するものであることが好ましい。
【００１２】
また、本発明の電力供給システムにおいて電力取入口と第２の電源回路との間に配備され、コントローラからオン、オフ制御を受け、オン制御により電力取入口と第２の電源回路との間を繋ぐ第３の電力供給路を生成するとともにオフ制御により第３の電力供給路を遮断する第２のスイッチ回路を備えることが好ましい。
【００１３】
この第３の電力供給回路を備えると、機器への電力供給を停止しているときに、機器側の電源である第２の電源回路の一次側損失も防止でき、更なる省電力化が実現する。
【００１４】
このように構成すると、コントローラによる拡張機能、例えば前述の例にいうプリンタ機能が不要な場合、コントローラなしで、上記第１の電源回路の出力を第２のスイッチ回路の制御信号として直結すればよく、こうすることにより、メインスイッチのオン、オフ操作によって直接に機器への電力投入、切断が行なわれ、コントローラによる拡張機能なしの使い方にも合致した電力供給システムが実現する。
【００１５】
ここで、本発明の電力供給システムは、一例として、上記機器が、原稿画像を読み取って画像信号を得、その画像信号に基づいてその原稿画像を複製したコピー画像を用紙上に記録する複写機であって、上記コントローラが、ネットワークを監視してネットワークを経由して送信されてきた画像信号を上記複写機に受け渡すコントローラであるときに好適に作用する。
【００１６】
つまり、コントローラのみ電力供給したい場合コントローラからのオフ制御により、第１、第２のスイッチ回路をオフすることによりスイッチの保持電力、機器側に搭載されている電源回路の一次損失も防止でき、コントローラ以外の消費電力を無くすことが可能となる。
【００１７】
また、上記目的を達成する本発明の電源装置は、電力取入口から受け取った電力を所定の機器およびその機器を制御するコントローラに供給する電源装置において、
コントローラ用の電力を生成してコントローラに供給する第１の電源回路と、
電力投入、切断用にオン、オフ操作され、オン操作により電力取入口と第１の電源回路とを繋ぐ第１の電力供給路を生成するとともにオフ操作により第１の電力供給路を遮断するメインスイッチと、
コントローラによるオン、オフ制御を受け、オン制御により、メインスイッチをバイパスして電力取入口と第１の電源回路とを繋ぐ第２の電力供給路を生成するとともに、オフ制御により、第２の電力供給路を遮断する第１のスイッチ回路と、
コントローラによるオン、オフ制御を受け、オン制御により、上記機器用の電力を生成してその機器に供給する第２の電源回路とを備えたことを特徴とする。
【００１８】
ここで、本発明の電源装置において、上記第１のスイッチ回路は、第１の電源回路がコントローラに供給する電力の電圧と同一の電圧の信号をオン制御の信号として動作するものであることが好ましい。
【００１９】
また、本発明の電源装置において、電力取入口と第２の電源回路との間に配備され、コントローラからオン、オフ制御を受け、オン制御により電力取入口と第２の電源回路との間を繋ぐ第３の電力供給路を生成するとともにオフ制御により第３の電力供給路を遮断する第２のスイッチ回路を備えることが好ましい。
【００２０】
さらに、本発明の電源装置において前記コントローラが暴走等により前記メインスイッチからのオフ信号を受けて所定時間経過しても前記コントローラがオフ制御しない場合、前記第１のスイッチ回路および前記第２の電源回路はハードウエアにより時間差で前記第２の電力供給路を遮断し、前記第２の電源回路の出力を停止することが好ましい。ここで機器側である第３の電力供給路の出力を先に停止することが安全上好ましい。
【発明の効果】
【００２１】
以上説明したとおり、本発明によれば、省電力化が推進される。
【発明を実施するための最良の形態】
【００２２】
以下、本発明の実施形態について説明する。
【００２３】
図１は、本発明の電力供給システムの一実施形態を示す回路ブロック図である。
【００２４】
この図１には、プリンタ機能付き複写機を構成する複写機本体１０と、その複写機に搭載された定着器１１と、図示しないネットワークに接続されたコントローラ２０と、この図１に示すその他の要素の集合からなる電源装置３０が示されている。定着器１１は複写機の構成要素であるが、ここでは、後の説明の都合上、定着器１１と複写機本体１０を別のブロックで示してある。
【００２５】
コントローラ２０は、ネットワークを常時監視し、そのネットワーク上に複写機で画像を記録すべき画像信号が送信されてくると複写機に電力を投入してその複写機に画像信号を受け渡す。コントローラ２０内には、画像データを取り込んだり、プログラムを記憶するための、図示しないハードディスク装置（以下、ＨＤＤと略記する）が内蔵されている。
【００２６】
電源装置３０には、ＡＣ電力を取り入れるためのプラグ３０１が備えられており、そのプラグ３０１がＡＣ電源用のコンセント（図示せず）に差し込まれると、そのプラグ３０１から取り込まれたＡＣ電力は、漏電遮断器３０２およびノイズフィルタ３０３を経由してメインスイッチ３０４に達する。メインスイッチ３０４は電源投入遮断用のメインスイッチであり、オン操作により電源が投入され、オフ操作により電源が遮断される。図１には、オフ操作された状態のメインスイッチ３０４が示されている。メインスイッチ３０４のオン、オフの状態は信号線３３１を経由してコントローラ２０に伝達される。
【００２７】
ここで、メインスイッチ３０４がオン操作されると、プラグ３０１から取り込まれた電力は、電源回路３０５に達する。この電源回路３０５は、本発明にいう第１の電源回路に相当し、このメインスイッチ３０４を経由して電源回路３０５にＡＣ電力を供給する電力供給路は本発明にいう第１の電力供給路に相当する。この電源回路３０５では、コントローラ２０の、ＨＤＤを除く各部に供給されるＤＣ電力が生成されてコントローラ２０に供給される。この電源回路３０５で生成されてコントローラ２０に供給されるＤＣ電力には、コントローラ２０自体で利用される電力のほか、制御線３４１，３４２を経由して後述するリレー３０６，３０７および電源回路３０８内のリレー３０８ａをオン状態に制御するための電力も生成されてコントローラ２０に供給される。コントローラ２０は、電源回路３０５から電力の供給を受けると、内蔵されたＨＤＤを除き動作を開始し制御線３４１を経由してメインパワーオン信号（Ｍａｉｎ  Ｐ  ＯＮ  ｓｉｇｎａｌ）が出力されるとともに制御線３４２を経由してレディパワーオン信号（Ｒｅａｄｙ  Ｐ  ＯＮ  ｓｉｇｎａｌ）が出力される。
【００２８】
制御線３４１にＭａｉｎ  Ｐ  ＯＮ  ｓｉｇｎａｌが出力されると、そのＭａｉｎ  Ｐ  ＯＮ  ｓｉｇｎａｌは、２つのリレー３０６，３０７をオン状態に制御する。リレー３０６がオン状態になると、プラグ３０１から取り入れられ漏電遮断器３０２およびノイズフィルタ３０３を経由して供給されてきたＡＣ電力が、メインスイッチ３０４をバイパスして、電源回路３０５に供給される。ここで、このリレー３０６は、本発明にいう第１のスイッチ回路に相当し、メインスイッチ３０４をバイパスして電源回路３０５にＡＣ電力を供給する電力供給路は本発明にいう第２の電力供給路に相当する。
【００２９】
リレー３０６がオン状態になると、その後メインスイッチ３０４がオフ操作されても、コントローラ２０自らがＭａｉｎ  Ｐ  ＯＮ  ｓｉｇｎａｌの出力を停止するまでは、電源回路３０５を介してコントローラ２０にＤＣ電力が供給され続ける。
【００３０】
また制御線３４１にＭａｉｎ  Ｐ  ＯＮ  ｓｉｇｎａｌが出力されると、もう１つのリレー３０７もオン状態となる。このリレー３０７がオン状態になると、コントローラ２０にＨＤＤ用の電力を供給する電源回路３０９、定着器１１に電力を供給する電源回路３１０および複写機にフィニッシャ（画像が記録され積み重ねられた用紙束にパンチ穴をあけたり、用紙束をステープラで綴じる装置）等のオプション装置が組み込まれているときのそのオプション装置に電力を供給する電源回路３１１に電力が供給される。また、リレー３０７がオン状態になると、複写機本体１０に電力を供給する電源回路３０８の一次側にまでＡＣ電力が供給される。
【００３１】
また、コントローラ２０は、電源回路３０５から電力の供給を受けると、上述したとおり、制御線３４１にＭａｉｎ  Ｐ  ＯＮ  ｓｉｇｎａｌを出力するとともに、制御線３４２にＲｅａｄｙ  Ｐ  ＯＮ  ｓｉｇｎａｌを出力し、このＲｅａｄｙ  Ｐ  ＯＮ  ｓｉｇｎａｌは、複写機本体１０に電力を供給する電源回路３０８のリレー３０８ａをオン状態に制御する。このリレー３０８ａがオン状態になると、電源回路３０８は、複写機本体１０に供給する電力を生成して複写機本体１０に供給する。この複写機本体１０用の電源回路３０８は、本発明にいう第２電源回路に相当する。
【００３２】
また、リレー３０７は、本発明にいう第２のスイッチ回路に相当しそのリレー３０７を経由する電力供給路が本発明にいう第３の電力供給路に相当する。
【００３３】
ここで、メインスイッチ３０４がオン操作されたときに、リレー３０６がオン状態になるのが遅れると、その間にメインスイッチ３０４がオフ操作された場合に、コントローラ２０の動作の立ち上がりの途中で不意に電力が遮断されることとなり、コントローラ２０に誤作動や破損を生じるおそれがある。そこで、ここでは、以下の工夫が施されている。
【００３４】
図２は、コントローラ２０の、制御線３４１にＭａｉｎ  Ｐ  ＯＮ  ｓｉｇｎａｌを出力する部分の概略回路図である。
【００３５】
コントローラ２０では、ソフトウェアが実行され、そのソフトウェアにより、制御線Ｍａｉｎ  Ｐ  ＯＮ  ｓｉｇｎａｌの送出や停止が制御されるが、コントローラ２０の内部回路２０１は、電力の供給を受けると、ソフトウェアの起動を待つことなく、先ずは初期状態としてハードウェア的にＭａｉｎ  Ｐ  ＯＮ  ｓｉｇｎａｌを送出するように構成されている。すなわち、内部回路２０１に電力が供給されてそこから出力される信号のレベルが十分なレベルにまで立ち上がると、リセットが解除され、その内部回路２０１から出力された信号がバッファ２０２から出力されトランジスタ回路２０３でパワー増幅されて、Ｍａｉｎ  Ｐ  ＯＮ  ｓｉｇｎａｌとして制御線３４１に出力される。
【００３６】
したがって、図１に示すリレー３０６，３０７はメインスイッチ３０４がオン操作されるとコントローラ２０内で動作するソフトウェアの立ち上がりを待つことなく直ちにオン状態となり、コントローラ２０の立ち上がりの途中でメインスイッチ３０４が不用意にオフ操作されても電力供給がされ続け、コントローラ２０が立ち上がって電源オフに対処できる環境が整ってから自分でリレー３０６，３０７をオフ制御することができる。
【００３７】
尚、図２では、制御線３４１に出力されるＭａｉｎ  Ｐ  ＯＮ  ｓｉｇｎａｌについて説明したが、制御線３４２に出力されるＲｅａｄｙ  Ｐ  ＯＮ  ｓｉｇｎａｌについても同様である。
【００３８】
またコントローラ２０が暴走等によりメインスイッチ３０４からのオフ信号を受けて所定時間経過してもコントローラ２０がオフ制御しない場合、リレー３０６、３０８ａはメインスイッチ３０４のオフ信号を受けて（図示せず）ハードウエアにより時間差でオフにする。時間差はリレー３０８ａである複写機本体１０側は異常動作などを想定し緊急オフが好ましく、リレー３０６であるコントローラ２０側はデータ保存の時間が必要であるためである。
【００３９】
コントローラ２０は、図１に示す全てのリレー３０６，３０７，３０８ａがオン状態にあり全ての電源回路３０５，３０８，３０９，３１０，３１１が電力供給を行なっている通常の稼動モードのほか、ローパワーモードとスリープモードとを有する。
【００４０】
ローパワーモードは、通常の稼動モードと比べ制御線３４２へのＲｅａｄｙ  Ｐ  ＯＮ  ｓｉｇｎａｌの送出が停止されて複写機本体１０用の電源回路３０８のリレー３０８ａがオフ状態に移行したモードである。通常の稼動モードからローパワーモードに移行するにあたっては、電源回路３０８のリレー３０８ａがオフ状態に制御されるに先立って、コントローラ２０から複写機本体１０に、信号線３３２を経由して、ローパワーモードに移行することが予告され、複写機本体１０は、その予告を受けて、定着器１１用の電源回路３１０に、信号線３３３を介して、ローパワーモードに移行することが指示される。すると、電源回路３１０は定着器１１に供給する電力を制限する。これは、定着器１１は電力を停止してしまうと立ち上がるのに時間がかかるため、ある程度の電力を供給し続けておき、実際に稼動する必要を生じたときに速やかに立ち上がるためである。コントローラ２０は、複写機本体１０にローパワーモードへの移行の予告を行なった後、制御線３４２へのＲｅａｄｙ  Ｐ  ＯＮ  ｓｉｇｎａｌの出力を停止し電源回路３０８のリレー３０８ａをオフ状態に制御する。すると、その電源回路３０８から複写機本体１０への電力供給が停止し、複写機本体１０が電源オフの状態となる。
【００４１】
また、スリープモードでは、ローパワーモードと比べ、さらに、制御線３４１のＭａｉｎ  Ｐ  ＯＮ  ｓｉｇｎａｌの送出が停止されて、リレー３０６，３０７がオフ状態に制御される。リレー３０６，３０７がオフ状態になると、電源回路３０９へのＡＣ電力供給が遮断されるためコントローラ２０のＨＤＤへの電力供給が停止し、複写機本体１０、定着器１１およびオプション装置（組み込まれている場合）への電力供給も停止する。
【００４２】
ただし、リレー３０６がオフ状態となっても、電源回路３０５にはメインスイッチ３０４を経由してＡＣ電力が供給され続け、コントローラ２０はＨＤＤを除き動作可能である。このとき、コントローラ２０は、ネットワークを監視する部分のみが動作し、他の部分への電力供給を停止する。コントローラ２０は、ネットワークを経由して自分が受信すべき画像データが送信されてくることを認識すると、制御線３４１，３４２にＭａｉｎ  Ｐ  ＯＮ  ｓｉｇｎａｌ，Ｒｅａｄｙ  Ｐ  ＯＮ  ｓｉｇｎａｌを送出して通常の移動モードに移行する。
【００４３】
スリープモードにあるときは、ＨＤＤも停止しており、ネットワーク監視作業のみを行なっているため、そのスリープモードにあるときにメインスイッチ３０４がオフ操作されても、それ以降はネットワークの監視動作も停止することのほか、不都合は生じない。
【００４４】
ここで、複写機本体１０にプリンタの機能が不要のときは、コントローラ２０は不要である。ここでは、電源回路３０５で、Ｍａｉｎ  Ｐ  ＯＮ  ｓｉｇｎａｌおよびＲｅａｄｙ  Ｐ  ＯＮ  ｓｉｇｎａｌと同じ電圧レベルの電力が生成されており、その電力をコントローラ２０に供給する電力線と、制御線３４１，３４２とを直結するためのハーネスのチートコネクタ（図示せず）が用意されており、その電力線と制御線３４１，３４２が直結される。このときリレー３０６のコネクタは外しておく。こうすると、メインスイッチ３０４をオン操作して電源回路３０５が立ち上がったときにその電源回路３０５の立ち上がりを受けて２つのリレー３０７，３０８ａがオン状態となり、メインスイッチ３０４がオフ操作すると２つのリレー３０７，３０８ａがオフ状態となる。すなわち、コントローラ２０がないことによりネットワークの監視が行なわれずプリント機能はなくなるものの、電源のオン、オフは正常に行なわれることになる。
【００４５】
また、コントローラの種類によっては、ネットワークを監視するためにＨＤＤを稼動させておく必要のあるコントローラも存在する。そのようなコントローラの場合、Ｒｅａｄｙ  Ｐ  ＯＮ  ｓｉｇｎａｌのみオフ制御する。このときは省電力の効果が一部削がれることにはなるが動作は正常に行なわれる。
【００４６】
図３、図４は、図１に示す電力供給システムにおける電源オン、オフの動作の流れを示すフローチャートの、それぞれ前半部分および後半部分を示す図である。ここでは、図１を合わせて参照して図３、図４のフローチャートについて説明するが、既に図１を参照して説明済であるため、電源オン、オフの流れを簡単に説明するにとどめる。
【００４７】
メインスイッチ３０４がオン操作されると、電源回路３０５を介してコントローラ２０に電力供給が行なわれる（ステップＳ１）。すると、コントローラ２０により、ハードウェア的な論理により制御線３４１，３４２に、Ｍａｉｎ  Ｐ  ＯＮ  ｓｉｇｎａｌおよびＲｅａｄｙ  Ｐ  ＯＮ  ｓｉｇｎａｌが出力（Ａｃｔｉｖｅ）され（ステップＳ２）、入力電源保持用のリレー３０６およびメイン電源のリレー３０７，３０８ａがオン状態となり（ステップＳ３）、複写機本体１０に電源が供給される（ステップＳ４）。またこのとき電源回路３０９を介してコントローラ２０のＨＤＤにも電源供給が行なわれる。
【００４８】
コントローラ２０の内部での初期処理が終了すると（ステップＳ５）、コントローラは、Ｍａｉｎ  Ｐ  ＯＮ  ｓｉｇｎａｌ，Ｒｅａｄｙ  Ｐ  ＯＮ  ｓｉｇｎａｌをソフトウェア的に制御線３４１，３４２の出力ポートをＡｃｔｉｖｅ論理（Ｍａｉｎ  Ｐ  ＯＮ  ｓｉｇｎａｌ，Ｒｅａｄｙ  Ｐ  ＯＮ  ｓｉｇｎａｌを出力する状態）にセットする（ステップＳ６）。
【００４９】
ステップＳ７では、複写機のスタート検知（図示せず）し（ステップＳ７）複写のジョブ処理（ステップＳ８）若しくは、ネットワークを経由して、複写機をプリンタとして使って画像を記録するための画像データが送信されたか否かがモニタされ（ステップＳ７）、コントローラ２０は画像データが送信されてくると、複写機本体１０に対しジョブの実行が指示され、複写機本体１０に画像データを通信して複写機で画像記録を行なわさせるジョブ処理が行なわれる（ステップＳ８）。ステップＳ７で上記のようなジョブ処理へ移行すべきことが判定されたときはステップＳ８でジョブ処理が行なわれた後、あるいはステップＳ７で今の時点ではジョブ処理不要と判定されたときは直接に、信号線３３１をモニタしてメインスイッチ３０４がオフ状態にあるか否かが判定され（ステップＳ９）、メインスイッチ３０４がオフ状態にあるときは、コントローラ内のデータが保存され（図４ステップＳ２１）、コントローラ２０の制御線３４１，３４２の出力ポートの論理が、Ｍａｉｎ  Ｐ  ＯＮ  ｓｉｇｎａｌおよびＲｅａｄｙ  Ｐ  ＯＮ  ｓｉｇｎａｌの出力を停止するｉｎａｃｔｉｖｅ論理にセットされ（ステップＳ２２）、これにより電源が全てオフとなる。
【００５０】
図３のステップＳ９でメインスイッチ３０４がオフ操作されていないと判定されると、ローパワーモードに移行すべきか否かが判定される（ステップＳ１０）。ここでは、複写機でジョブの実行が終了した後次のジョブの指示がないまま所定時間経過したことをもってローパワーモードに移行すべきことが判定される。
【００５１】
ローパワーモードへ移行すべきことが判定されると、コントローラ２０は、制御線３４２の出力ポートを、Ｒｅａｄｙ  Ｐ  ＯＮ  ｓｉｇｎａｌの出力を停止することを指示するｉｎａｃｔｉｖｅ論理にセットし（ステップＳ１１）、これにより、複写機本体１０の電源がオフとなる。
【００５２】
ローパワーモードにあるときにジョブへ移行すべきことが判定されると、コントローラ２０は、制御線３４２の出力ポートをＲｅａｄｙ  Ｐ  ＯＮ  ｓｉｇｎａｌを出力すべきことを指示するＡｃｔｉｖｅ論理にセットし（ステップＳ２４）、これにより複写機本体１０の電源がオンとなり、ジョブ処理が実行される（図３ステップＳ８）。
【００５３】
ステップＳ２３においてジョブに移行すべきタイミングではないことが判定されると、メインスイッチ３０４の状態がモニタされ（ステップＳ２６）、メインスイッチ３０４のオフが検知されるとステップＳ２１に移行し、上記と同様にしてデータ保存および電源オフが行なわれる。
【００５４】
ステップＳ２６でメインスイッチがオン状態にあることが判定されると、ステップＳ２７に進み、スリープモードに移行すべき状態にあるか否かが判定される。
【００５５】
本実施形態では、ローパワーモードに移行してからあらかじめ決められた時間をそのローパワーモードが続いていることをもってスリープモードに移行すべきことが判定される。
【００５６】
ステップＳ２７でスリープモードに移行すべきことが判定されると、コントローラ２０は、制御線３４１，３４２の出力ポートの論理を、Ｍａｉｎ  Ｐ  ＯＮ  ｓｉｇｎａｌ，Ｒｅａｄｙ  Ｐ  ＯＮ  ｓｉｇｎａｌの出力を停止すべきことを表わすｉｎａｃｔｉｖｅ論理にセットする（ステップＳ２８）。すると、入力電源保持用リレー３０６および他のリレー３０７，３０８が全てオフ状態となり複写機側の電源およびコントローラのＨＤＤの電源がオフとなる（ステップＳ２９）。
【００５７】
このスリープモードにあるときにジョブに移行すべきことが判定されると（ステップＳ３０）、コントローラは、２本の制御線３４１，３４２の出力ポートにＭａｉｎ  Ｐ  ＯＮ  ｓｉｇｎａｌ，Ｒｅａｄｙ  Ｐ  ＯＮ  ｓｉｇｎａｌを出力すべきことを指示するＡｃｔｉｖｅ論理にセットし（ステップＳ３１）、これにより、全てのリレー３０６，３０７，３０８ａをオン状態とし（ステップＳ３２）、ジョブ処理が実行される（図３ステップＳ８）。
【００５８】
スリープモードにあるときにメインスイッチ３０４がオフ操作されると（ステップＳ３３）、コントローラ２０も電源オフ状態となりこれにより全ての電源がオフとなる。
【図面の簡単な説明】
【００５９】
【図１】本発明の電力供給システムの一実施形態を示す回路ブロック図である。
【図２】コントローラの、制御線にＭａｉｎ  Ｐ  ＯＮ  ｓｉｇｎａｌを出力する部分の概略回路図である。
【図３】図１に示す電力供給システムにおける電源オン、オフの動作の流れを示すフローチャートの前半部分を示す図である。
【図４】図１に示す電力供給システムにおける電源オン、オフの動作の流れを示すフローチャートの後半部分を示す図である。
【符号の説明】
【００６０】
１０    複写機本体
１１    定着器
２０    コントローラ
３０    電源装置
３０１    プラグ
３０２    漏電遮断器
３０３    ノイズフィルタ
３０４    メインスイッチ
３０５    電源回路
３０６，３０７    リレー
３０８    電源回路
３０８ａ    リレー
３０９，３１０，３１１    電源回路
３３１，３３２，３３３    信号線
３４１，３４２    制御線
【図１】
2006094627.tif 000003
【図２】
2006094627.tif 000004
【図３】
2006094627.tif 000005
【図４】
2006094627.tif 000006